(57)【特許請求の範囲】
【請求項１】
太陽電池パネルと、前記太陽電池パネルと一体化された送受信回路部と、前記太陽電池パネルと別に設けられた外部センサ素子と、前記送受信回路部と前記外部センサ素子とを接続する接続手段とを備え、
前記太陽電池パネルは、第１及び第２の出力電極と、前記第１及び第２の出力電極間に電位差を生じさせる発電層とを備え、
前記第１及び第２の出力電極のいずれか一方は、前記送受信回路部の接地面として用いられ、
前記送受信回路部は、前記太陽電池パネルから得られる直流電力によって駆動されることを特徴とする無線送受信機。
【請求項２】
多層化された支持基板をさらに備え、
前記太陽電池パネルは前記支持基板の表面に設けられており、
前記送受信回路部は前記支持基板の裏面に設けられており、
前記接地面として用いられる前記第１及び第２の出力電極のいずれか一方は、前記送受信回路部を構成するキャパシタの一方の電極面を構成しており、
前記支持基板の内層に設けられた電極パターンが前記キャパシタの他方の電極面を構成していることを特徴とする請求項１に記載の無線送受信機。
【請求項３】
前記太陽電池パネルに組み込まれたアンテナ素子をさらに備え、
前記アンテナ素子は、前記第１及び第２の出力電極のいずれか一方の電極面の一部を線状に切り欠くことによって形成されたスロットアンテナであることを特徴とする請求項１又は２に記載の無線送受信機。
【発明の詳細な説明】
【技術分野】
【０００１】
本発明は、無線送受信機に関し、特に、太陽電池を用いて構成された無線送受信機に関するものである。
【背景技術】
【０００２】
最近、センサで検知した温度や湿度といった情報を無線で飛ばして、これらの情報に基づいて各種対象を制御するシステムが利用されており、センサの情報を無線で送受信する回路（以下、無線送受信機と呼ぶ）の需要が高まっている。無線送受信機は比較的省電力な電子機器であることから、その電源としてはボタン電池が用いられることが多い。しかし最近は、環境問題への配慮から太陽電池のようなクリーンな電源が望まれている。太陽電池の発電効率はそれほど高くないが、送信無線通信ユニットのように微小信号を間欠的に送受信し、あまりエネルギーを必要としない用途には好適である。また、将来的には発電性能が飛躍的に改良される可能性が秘められている。
【０００３】
図１０は、従来の無線送受信機の一般的な回路構成を示すブロック図である。
【０００４】
図１０に示すように、この無線送受信機６００は、アンテナ６０１、ＲＦ回路６０２、ベースバンド回路６０３、送受信データ処理回路６０４、湿度センサや温度センサを含むセンサ回路６０５、電源駆動回路６０６及び電源６０７で構成されている。湿度センサや温度センサより得られたセンサ出力は、送受信データ処理回路６０４、ベースバンド回路６０３、ＲＦ回路６０２の順に処理されて、チップアンテナ６０１を介して無線で送信される。なお、各回路には電源６０７からの電力が電源駆動回路６０６を介して供給される。このように、無線送受信機６００は、センサ出力をホストに送信するだけの場合もあるし、ホストからの制御信号を受信して種々の動作を行うといった応用もある。
【０００５】
図１１及び１２は、従来の無線送受信機の構成の一例を示す外観斜視図であり、図１１はシールドケースがない状態、図１２はシールドケースを取り付けた状態を示している。
【０００６】
図１１に示すように、この無線送受信機７００は、プリント基板６１０上に実装された各種電子部品で構成され、これにより、上述のＲＦ回路６０２、ベースバンド回路６０３、送受信データ処理回路６０４、センサ回路６０５及び電源駆動回路６０６が構成されている。ＲＦ回路６０２にはアンテナ６０１としてのチップアンテナ６１１が含まれており、センサ回路６０５には湿度センサ６０５ａや温度センサ６０５ｂが含まれている。また、電源６０７としては太陽電池パネル６１２が使用される。太陽電池パネル６１２はＤＣケーブル６１３を介して無線送受信機本体、詳細にはプリント基板６１０上のＤＣコネクタ６１４に接続される。図１２に示すように、これらの各種電子部品はシールドケース６１５によって電磁的にシールドされ、物理的にも保護されるが、チップアンテナ６１１及び湿度センサ６０５ａについては、ともに正しく動作するようにシールドケース６１５の外部に露出している。
【０００７】
図１３は、従来の無線送受信機の他の例を示す外観斜視図であり、シールドケースを取り付けた状態を示している。
【０００８】
図１３に示すように、この無線送受信機８００では、チップアンテナ６１１の代わりに外部アンテナ６１６を用い、外部アンテナ６１６をプリント基板６１０上の同軸コネクタ６１７に同軸ケーブル６１８を介して接続している。その他の構成は上述の無線送受信機６００と同様である。以上のような構成を有する場合には、チップアンテナによってプリント基板上の実装領域が広範囲に占有されることがなく、プリント基板上の実装領域の有効利用を図ることができる。
【０００９】
その他にも、太陽電池を備えた無線カードやワイヤレスリモコン装置など、本発明に関連する従来技術としては種々のものが存在している。（特許文献１及び２参照）。
【特許文献１】特開平０７−１７７０４６号公報
【特許文献２】特開平０７−２４０９６８号公報
【発明の開示】
【発明が解決しようとする課題】
【００１０】
図１１及び１２に示した従来の無線送受信機７００は、太陽電池パネルと無線送受信機本体とが別体であるため、太陽電池パネルを含めた無線送受信機全体が大型化するという問題がある。また、湿度センサや温度センサといったセンサ素子が無線送受信機本体のプリント基板上に実装されているため、個々のセンサ素子をそれぞれ任意の場所に設置できないという問題もある。また、アンテナ素子が無線送受信機本体のプリント基板上に実装されている場合には、プリント基板上の実装領域が占有されるだけでなく、無線送受信機の設置状況によってアンテナ素子の向きが強制的に定められてしまい、アンテナの感度調整などには限界があった。
【００１１】
したがって、本発明の目的は、太陽電池パネルを含めた全体を小型軽量化することができ、センサ感度やアンテナ感度の良好な無線送受信機を提供することにある。
【課題を解決するための手段】
【００１２】
本発明の上記目的は、太陽電池パネルと、太陽電池パネルと一体化された送受信回路部とを備え、太陽電池パネルは、第１及び第２の出力電極と、第１及び第２の出力電極間に電位差を生じさせる発電層とを備え、第１及び第２の出力電極のいずれか一方は、送受信回路部の接地面として用いられ、送受信回路部は、太陽電池パネルから得られる直流電力によって駆動されることを特徴とすることを特徴とする無線送受信機によって達成される。ここに、「送受信」とは、送信若しくは受信又は送信及び受信の両方という意味であり、送信及び受信の両方のみならず、送信のみの場合や受信のみの場合も含まれる。
【００１３】
本発明において、接地面として用いられる出力電極は、送受信回路部を構成する受動素子の電極の一部として用いられることが好ましい。これによれば、送受信回路部の実装面積を縮小することができ、無線送受信機のさらなる小型軽量化、低背化が可能となる。
【００１４】
本発明において、送受信回路は、外部のデータ出力手段との接続手段を備えていることが好ましい。これによれば、送受信回路部とは別に外部センサを接続することとしたので、太陽電池パネルの向きによらず任意の位置にセンサ素子を設置することができる。
【００１５】
本発明において、送受信回路は、外部アンテナとの接続手段を備えていることが好ましい。これによれば、太陽電池パネルの向きに制約されることなくアンテナの向きを設定することができ、太陽電池による発電状態とアンテナ感度とをそれぞれ最適な状態に調整することができる。
【００１６】
本発明においては、太陽電池パネルに組み込まれたアンテナ素子をさらに備えていることが好ましい。これによれば、無線送受信機全体のさらなる小型軽量化、低背化が可能となる。
【００１７】
本発明においては、発電層を形成する支持基板が多層基板からなることが好ましい。これによれば、多層基板の内層に電極パターンを形成するとともに、太陽電池パネルの下地電極をキャパシタ用電極の一部として用いることができ、支持基板の誘電体層を誘電体とするキャパシタを構成することができるので、無線送受信機のさらなる小型化軽量化、低背化が可能となる。
【発明の効果】
【００１８】
本発明によれば、太陽電池パネルが太陽光を受けて発電するので、送受信回路部に対して所定の電源電力を供給することができる。したがって、送受信回路部を駆動するためのボタン電池が不要となり、電池の寿命がくるたびに交換しなければならないという不便さを解消することができる。また、無線送受信機の主要部である送受信回路部と太陽電池パネルとが一体化しているので、太陽電池パネルと送受信回路部の回路基板とをそれぞれ別個に用意する場合に比べて無線送受信機全体の大幅な小型軽量化を図ることができる。さらに、太陽電池パネルの一方の出力電極を送受信回路部の接地面として使用し、当該接地面の周辺に送受信回路部が構成されているので、太陽電池と送受信回路部との電気的な干渉を抑えることができる。
【発明を実施するための最良の形態】
【００１９】
以下、添付図面を参照しながら、本発明の好ましい実施の形態について詳細に説明する。
【００２０】
図１は、本発明の第１の実施形態に係る無線送受信機の表面側の構成を示す略平面図であり、図２は、その裏面側の構成を示す略平面図である。また、図３は、図１及び図２のＡ−Ａ線に沿った断面図である。
【００２１】
図１乃至図３に示すように、この無線送受信機１００は、略矩形状の支持基板１０１と、支持基板１０１の表面に形成された太陽電池パネル本体１０２と、支持基板１０１の裏面に設けられた送受信回路部１０９とで構成されている。詳細は後述するが、送受信回路部１０９には外部のセンサ素子との接続のためのフレキシブル配線板１１４が接続されている。太陽電池パネル本体１０２は、支持基板１０１上に形成された下地電極１０３と、下地電極１０３上に形成された発電層１０４と、発電層１０４上に形成された透明電極１０５とを備えている。また、本実施形態において、太陽電池パネル本体１０２の右側には、下地電極１０３に接続されたマイナス側リード電極１０６が設けられており、太陽電池パネル本体１０２の左側には、透明電極１０５に接続された略くし型のプラス側リード電極１０７が設けられている。そして、太陽電池パネル本体１０２の全面は保護膜（コーティング樹脂）１０８ａで覆われている。
【００２２】
支持基板１０１は、太陽電池パネル本体１０２の機械的強度を確保する役割を果たす。支持基板１０１の材料としては、特に限定されるものではないが、ポリエチレンテレフタレート（ＰＥＴ）、ポリエーテルスルホン（ＰＥＳ）、ポリエチレンナフタレート（ＰＥＮ）、ポリカーボネート（ＰＣ）、ポリプロピレン、ポリイミド等を用いることができ、可撓性のあるフィルム状の基板を用いることが好ましい。また、高周波特性の良好なアルミナ基板、ＬＴＣＣ（低温焼成セラミック）多層基板、ガラス基板、樹脂基板、樹脂多層基板等を用いることもできる。また、詳細は後述するが、支持基板１０１の内部にキャパシタ等の受動素子を形成する場合には、誘電率の高いセラミック基板等を用いることが好ましい。
【００２３】
下地電極１０３は、太陽電池パネル本体１０２のマイナス側の出力電極（接地電極）としての役割を果たすとともに、発電層１０４を透過した光を反射して発電層１０４に戻すことで発電効率を向上させる役割も果たす。そのため、下地電極１０３は「反射電極」とも呼ばれる。特に限定されるものではないが、下地電極の材料としては銀（Ａｇ）やアルミニウム（Ａｌ）といった導体を用いることが好ましい。
【００２４】
発電層１０４は、リン等のＮ型不純物がドープされたアモルファスシリコン膜（Ｎ層）、不純物がドープされていないアモルファスシリコン膜（Ｉ層）、ホウ素等のＰ型不純物がドープされたアモルファスシリコン膜（Ｐ層）がこの順で積層された多層膜からなり、Ｉ層をＰ層とＮ層とで挟み込んだＰ-Ｉ-Ｎ接合構造を有している。そして、本実施形態においては、Ｎ層が下地電極１０３側を向いている。発電層１０４に光が当たると、I層の価電子帯の電子が励起されて電子とホールのペアが発生し、これらの電子とホールはＰＩＮ接合による内部電界に応じてそれぞれＮ層とＰ層とに拡散するので、電位差が発生し、電流を取り出すことが可能となる。つまり、発電層が活性化している状態においてＮ層とＰ層とを結線した場合には、Ｐ層からＮ層に向けて電流が流れることになる。なお、発電層１０４は多数のセルで構成されていてもよく、この場合に個々のセルが直列接続されてもよく、あるいは並列接続されてもよい。
【００２５】
透明電極１０５は、太陽電池パネル本体１０２のプラス側の出力電極としての役割を果たすとともに、光の入射側の電極としての役割も果たすため、一定の光透過性を有している。透明電極１０５は発電層から見て光の入射方向に近い（光の入射面側に設けられている）ことから「表面電極」と呼ばれることがある。これに対し、下地電極１０３は光の入射方向から遠いことから「裏面電極」と呼ばれることがある。透明電極の材料としては、特に限定されるものではないが、二酸化亜鉛（ＳｎＯ２）、酸化インジウム錫（ＩＴＯ）、酸化シリコン（ＳｉＯ）等の導体を用いることが好ましい。
【００２６】
本実施形態においては、マイナス側リード電極１０６の形成領域を確保するため、発電層１０４及び透明電極１０５を下地電極１０３の全面に形成せず、Ｙ方向に沿った右側端部に広めのマージンを持たせて、下地電極１０３の露出領域を形成している。そして、マイナス側リード電極１０６は、下地電極１０３の右側端部の露出領域に形成されており、このマイナス側リード電極１０６とは反対側に位置するプラス側リード電極１０７は、透明電極１０５上の左側端部に形成されている。
【００２７】
図２に示すように、支持基板１０１の裏面には、配線パターン１１０を形成し、チップコンデンサ１１１やトランジスタ１１２といったチップ部品やＩＣ１１３を実装することにより、無線送受信機１００の主要部である送受信回路部１０９が設けられている。本実施形態の送受信回路部１０９は、送受信データ処理回路１１５、ベースバンド回路１１６、ＲＦ回路１１７、及び電源駆動回路１１８で構成されている。本実施形態においては、ＩＣ１１３が送受信データ処理回路１１５やベースバンド回路１１６の主要部を構成しており、送受信データ処理回路１１５内のＩＣ１１３には外部センサとの接続手段であるフレキシブル配線板１１４の一端が接続されている。フレキシブル配線板１１４の他端には、図示しないが、湿度センサや温度センサといった外部センサ素子が接続される。
【００２８】
特に限定されるものではないが、電源駆動回路１１８は、図４に示すように、３端子レギュレータ１１９と、逆流防止保護用ダイオード１２０と、平滑コンデンサ１２１とによって構成することができる。電源駆動回路の入力端子１０７Ｘは太陽電池パネル本体のプラス側リード電極１０７に接続される。各回路ブロック間を接続する配線パターン１１０は、接地面に対して概ね５０Ωのインピーダンスをもった伝送線路であるマイクロストリップ線路で構成されており、ＲＦ回路１１７内のマイクロストリップ線路の一部はＲＦコネクタ１２２を介して外部アンテナ（図１３参照）に接続される。また、各回路ブロックのグランドラインは、支持基板１０１を貫通するビアホール電極１２３を介して太陽電池パネル本体の下地電極１０３に接続されることによって確保される。そして、送受信回路部１０９の全面は保護膜（コーティング樹脂）１０８ｂで覆われている。
【００２９】
以上のような構成を有する無線送受信機１００は、通常の太陽電池として動作する。つまり、太陽光を受けて発電し、２つのリード電極１０６，１０７間に起電力を発生させるので、送受信回路部１０９に対して所定の電源電力を供給することができる。したがって、ボタン電池が不要となり、寿命がくるたびにボタン電池を交換しなければならないという不便さを解消することができる。また、無線送受信機の主要部である送受信回路部１０９は支持基板１０１の裏面に設けられており、太陽電池パネルの裏面のほぼ全面を利用して送受信回路部を構成しているので、太陽電池パネルと送受信回路部とを一体化することができ、太陽電池パネルと送受信回路部の回路基板とをそれぞれ別個に用意する場合に比べて無線送受信機全体の大幅な小型軽量化を図ることができる。また、太陽電池パネルの一方の出力電極である下地電極を送受信回路部の接地面として使用し、当該接地面の周辺に送受信回路部が構成されているので、太陽電池と送受信回路部１０９との電気的な干渉を抑えることができる。
【００３０】
また、本実施形態によれば、送受信回路部１０９とは別に外部アンテナを接続することとしたので、太陽電池パネルの向きに制約されることなくアンテナの向きを設定することができ、太陽電池による発電状態とアンテナ感度とをそれぞれ最適な状態に調整することができる。また、送受信回路部とは別に外部センサを接続することとしたので、無線送受信機の設置位置によらず任意の位置にセンサ素子を設置することができる。
【００３１】
図５は、本発明の第２の実施形態に係る無線送受信機の構成を示す略断面図である。なお、第１の実施形態に係る無線送受信機１００と同様の構成要素には同一の符号を付して詳細な説明を省略する。
【００３２】
図５に示すように、この無線送受信機２００の特徴は、支持基板１０１を多層化し、その内層に電極パターン２０１を形成するとともに、太陽電池パネルの下地電極１０３をキャパシタ用電極の一部として用いることにより、支持基板１０１の誘電体層を誘電体とするキャパシタを構成したものである。この場合の支持基板の誘電体層としては、誘電率の高いセラミック多層基板等を用いることが好ましい。図５においては、図示の破線で囲った２つの部分にそれぞれ独立したキャパシタ２０２Ａ，２０２Ｂが形成されている。特に、キャパシタ２０２Ａについては、一方の電極面に下地電極１０３を用いていることから、一方の端子が接地されたキャパシタとして用いることができる。このように、本実施形態によれば、太陽電池パネルの下地電極１０３が送受信回路部１０９を構成する受動素子の電極の一部として用いられているので、送受信回路部１０９の実装面積を縮小することができ、無線送受信機のさらなる小型軽量化、低背化が可能となる。
【００３３】
図６は、本発明の第３の実施形態に係る無線送受信機の表面側の構成を示す略平面図である。また、図７は、図６のＣ−Ｃ線に沿った断面図である。なお、第１の実施形態に係る無線送受信機１００と同様の構成要素には同一の符号を付して詳細な説明を省略する。
【００３４】
図６及び図７に示すように、この無線送受信機３００の特徴は、支持基板１０１の裏面ではなく、表面に送受信回路部１０９を設けた点にある。そして、このような送受信回路部１０９の形成領域を確保するため、本実施形態においては、発電層１０４及び透明電極１０５を下地電極１０３の全面に形成せず、Ｘ方向に沿った下側端部にも広めのマージンを持たせて、送受信回路部１０９の形成領域を確保している。太陽電池パネル本体１０２の全面は保護膜（コーティング樹脂）１０８ａで覆われるが、保護膜１０８ａの上面のうち送受信回路部１０９の形成領域に配線パターン１１０を形成し、チップコンデンサ１１１等を実装することにより、送受信回路部１０９が設けられる。外部アンテナは送受信回路部１０９のＲＦコネクタ１２２に接続される。
【００３５】
本実施形態においても、送受信回路部１０９のグランドとして太陽電池パネル本体の下地電極１０３が使用される。つまり、各回路ブロックにおけるグランドラインは、第１の実施形態と同様、保護層（誘電体層）１０８ａを貫通するビアホール電極（不図示）を介して太陽電池パネル本体の下地電極１０３に接続されることによって確保される。以上のような構成を有する無線送受信機３００も、第１の実施形態と同様の作用効果を奏することができる。また、支持基板１０１の裏面には送受信回路部が存在しないことから、例えば支持基板１０１の裏面にパッチアンテナを形成するなど、他の用途に使用することが可能となる。なお、送受信回路部が形成されている領域には発電層を形成することができないことから、太陽電池の発電力はわずかに低下するが、太陽電池としては問題なく使用することができる。
【００３６】
図８は、本発明の第４の実施形態に係る無線送受信機の裏面側の構成を示す略平面図である。
【００３７】
図８に示すように、この無線送受信機４００の特徴は、支持基板の裏面にパッチアンテナ４０１を形成した点にある。表面側の構成については、上述した第３の実施形態の無線送受信機３００と略同様である。
【００３８】
パッチアンテナ４０１は略正方形状の導体パターンからなり、一辺の長さＬ１は使用波長λに対して概ねλ／２に設定されている。パッチアンテナ４０１の一辺に近接した位置には、接地面に対して概ね５０Ωのインピーダンスをもつ伝送線路である給電電極４０２が設けられている。給電電極４０２の一端はビアホール電極４０３を介して表面側の送受信回路部１０９に接続される。パッチアンテナ４０１は給電電極４０２と電界結合しているので、パッチアンテナ４０１は給電電極４０２及びビアホール電極４０３を介して送受信回路部１０９と接続され、パッチアンテナ４０１は給電電極４０２を通じて給電される。
【００３９】
このように、本実施形態によれば、太陽電池パネルに送受信回路部のみならずアンテナ素子も組み込まれているので、無線送受信機全体のさらなる小型軽量化、低背化が可能となる。
【００４０】
図９は、本発明の第５の実施形態に係る無線送受信機の表面側の構成を示す略平面図である。なお、第１の実施形態に係る無線送受信機１００と同様の構成要素には同一の符号を付して詳細な説明を省略する。
【００４１】
図９に示すように、この無線送受信機５００の特徴は、支持基板１０１の表面に「スロットアンテナ」５０１を設けた点にある。スロットアンテナ５０１は、下地電極１０３の一部を線状に切り欠くことによって形成される。波長はスロットの長さによって選択され、スロット部分だけがアンテナとして寄与する。
【００４２】
このようなスロットアンテナ５０１の形成領域を確保するため、本実施形態においては、発電層１０４及び透明電極１０５を下地電極１０３の全面に形成せず、Ｘ方向に沿った下側端部にも広めのマージンを持たせて、下地電極の露出領域を形成している。そして、この下地電極１０３の露出領域に、Ｘ方向に沿って細長い切り欠き（スロット）を設けることにより、スロットアンテナ５０１を形成する。スロットの長さＬは、使用波長λに対して概ねλ／２に設定される。また、スロットの幅ｄはＬに比べて十分短く（ｄ＜＜Ｌ）設定される。スロットの製造プロセスとしては、例えば、支持基板１０１上に下地電極１０３及び発電層１０４を堆積させた後、エッチングにより下地電極１０３及び発電層１０４を部分的に抜き取るプロセスが採用される。
【００４３】
支持基板１０１の裏面には、第１の実施形態と同様、無線送受信機の主要部である送受信回路部１０９が設けられる（図２参照）。送受信回路部１０９内のマイクロストリップ線路１１０の一部は、図５の破線で示すように、スロットアンテナ５０１と直交している。つまり、スロットアンテナ５０１はマイクロストリップ線路１１０と電界結合しているので、スロットアンテナ５０１はマイクロストリップ線路１１０を介して送受信回路部内のＲＦ回路に接続され、スロットアンテナ５０１はマイクロストリップ線路１１０により給電される。
【００４４】
このように、本実施形態によれば、本実施形態によれば、太陽電池パネルに送受信回路部のみならずアンテナ素子も組み込まれているので、無線送受信機全体のさらなる小型軽量化、低背化が可能となる。また、第１の実施形態と同様、太陽電池パネルの裏面のほぼ全面を利用して送受信回路部を構成しているので、本実施形態と同じくアンテナ素子が組み込まれている第４の実施形態に比べて、送受信回路部のレイアウトに余裕を持たせることができる。
【００４５】
本発明は、以上の実施形態に限定されることなく、本発明の趣旨を逸脱しない範囲内で種々の変更を加えることが可能である。
【００４６】
例えば、上記各実施形態においては、マイナス側の出力電極である下地電極１０３を送受信回路の接地面として用いる場合について説明したが、透明電極を送受信回路の接地面として用いてもかまわない。下地電極及び透明電極のどちらがマイナス側電極になるかは発電層（Ｐ-Ｉ-Ｎ層）の向きによることから、透明電極がマイナス側の出力電極となる場合には、透明電極を接地面として用いることができる。さらに、上記実施形態では太陽電池の発電層１０４が非晶質（アモルファス）である場合について説明したが、結晶質のシリコンでもよいことは言うまでもない。
【００４７】
また、上記実施形態においては、組み込まれるアンテナの例としてパッチアンテナやスロットアンテナを挙げたが、アンテナの種類はこれらに限定されない。さらにまた、上記実施形態では扱う送受信データとしてセンサ出力を例にとって説明したが、データ出力手段より得られるデータであれば何でも良い。たとえば家庭内の電気使用量のデータ、ガスメータの目盛り、マイクで拾った音声信号、CCDカメラで撮った映像信号、等々などである。
【００４８】
また、上記各実施形態においては、無線送受信機が送信及び受信の両機能を備えている場合を例に説明したが、本発明はこれに限定されるものではなく、例えばセンサ出力を送信する機能のみを備えている場合や、データ表示装置への制御信号を受信する機能のみを備えている場合も含まれる。つまり、本発明において「送受信」とは、送信及び受信の両方又は送信のみ又は受信のみという意味である。
【図面の簡単な説明】
【００４９】
【図１】図１は、本発明の第１の実施形態に係る無線送受信機の表面側の構成を示す略平面図であり、
【図２】図２は、その裏面側の構成を示す略平面図である。
【図３】図３は、図１及び図２のＡ−Ａ線に沿った断面図である。
【図４】図４は、電源駆動回路の構成の一例を示す回路図である。
【図５】図５は、本発明の第２の実施形態に係る無線送受信機の構成を示す略断面図である。
【図６】図６は、本発明の第３の実施形態に係る無線送受信機の表面側の構成を示す略平面図である。
【図７】図７は、図６のＣ−Ｃ線に沿った断面図である。
【図８】図８は、本発明の第４の実施形態に係る無線送受信機の裏面側の構成を示す略平面図である。
【図９】図９は、本発明の第５の実施形態に係る無線送受信機の表面側の構成を示す略平面図である。
【図１０】図１０は、従来の無線送受信機の一般的な回路構成を示すブロック図である。
【図１１】図１１は、従来の無線送受信機の構成の一例を示す外観斜視図であり、シールドケースがない状態を示している。
【図１２】図１２は、従来の無線送受信機の構成の一例を示す外観斜視図であり、シールドケースを取り付けた状態を示している。
【図１３】図１３は、従来の無線送受信機の他の例を示す外観斜視図であり、シールドケースを取り付けた状態を示している。
【符号の説明】
【００５０】
１００    無線送受信機
１０１    支持基板
１０２    太陽電池パネル本体
１０３    下地電極
１０４    発電層
１０５    透明電極
１０６    マイナス側リード電極
１０７    プラス側リード電極
１０７Ｘ    電源駆動回路の入力端子
１０８ａ    保護膜（コーティング樹脂）
１０８ｂ        保護膜（コーティング樹脂）
１０８ｃ        保護膜（コーティング樹脂）
１０９    送受信回路部
１１０    配線パターン（マイクロストリップ線路）
１１１    チップコンデンサ
１１２    トランジスタ
１１３    ＩＣ
１１４    フレキシブル配線板
１１５    送受信データ処理回路
１１６    ベースバンド回路
１１７    ＲＦ回路
１１８    電源駆動回路
１１９    ３端子レギュレータ
１２０    逆流防止保護用ダイオード
１２１    平滑コンデンサ
１２２    ＲＦコネクタ
１２３    ビアホール電極
２００    無線送受信機
２０１    電極パターン
２０２Ａ    キャパシタ
２０２Ｂ    キャパシタ
３００    無線送受信機
４００    無線送受信機
４０１    パッチアンテナ
４０１    導体パターン
４０２    パッチアンテナ
４０２    給電電極
４０３    ビアホール電極
５００    無線送受信機
５０１    スロットアンテナ
６００    無線送受信機
６０１    アンテナ
６０２    ＲＦ回路
６０３    ベースバンド回路
６０４    送受信データ処理回路
６０５    センサ回路
６０５ｂ    温度センサ
６０５ａ    湿度センサ
６０６    電源駆動回路
６０７    電源
６１０    プリント基板
６１１    チップアンテナ
６１２    太陽電池パネル
６１３    ＤＣケーブル
６１４    ＤＣコネクタ
６１５    シールドケース
６１６    外部アンテナ
６１７    同軸コネクタ
６１８    同軸ケーブル
７００    無線送受信機
８００    無線送受信機
【図１】
0004604901.tif 000002
【図２】
0004604901.tif 000003
【図３】
0004604901.tif 000004
【図４】
0004604901.tif 000005
【図５】
0004604901.tif 000006
【図６】
0004604901.tif 000007
【図７】
0004604901.tif 000008
【図８】
0004604901.tif 000009
【図９】
0004604901.tif 000010
【図１０】
0004604901.tif 000011
【図１１】
0004604901.tif 000012
【図１２】
0004604901.tif 000013
【図１３】
0004604901.tif 000014